(57)【要約】【課題】本発明は、レーベル面のように表面が粗い光ディスクの記録面にレーザ光のフォーカスを安定して合わせることが可能な光ディスク装置及びそのレーザ光受光方法を提供することを目的とする。【解決手段】光ディスクからの反射光の焦点位置を挟んで反射光の光軸に沿って前後に配置され反射光を受光する一組の受光手段と、反射光に基づいて光ディスクにレーザ光のフォーカスを合せる駆動手段と、一組の受光手段の検出位置を反射光の光軸に沿って反射光の焦点位置から離間する方向に移動させる手段と、反射光に基づいて光ディスクの表面粗さを検出し、光ディスクの表面粗さが所定の粗さを越えた場合、一組の受光手段の検出位置を反射光の光軸に沿って反射光の焦点位置から離間する方向に移動させ、移動した検出位置で一組の受光手段に反射光を受光させる制御手段とを具備した。【選択図】図３
2008117501.tif 000002
【特許請求の範囲】
【請求項１】
光ディスクからの反射光の焦点位置を挟んで前記反射光の光軸に沿って前後に配置され前記反射光を受光する一組の受光手段と、
前記反射光に基づいて前記光ディスクにレーザ光のフォーカスを合せる駆動手段と、
前記一組の受光手段の検出位置を前記反射光の光軸に沿って前記反射光の焦点位置から離間する方向に移動させる手段と、
前記反射光に基づいて前記光ディスクの表面粗さを検出し、前記光ディスクの表面粗さが所定の粗さを越えた場合、前記一組の受光手段の検出位置を前記反射光の光軸に沿って前記反射光の焦点位置から離間する方向に移動させ、移動した検出位置で前記一組の受光手段に前記反射光を受光させる制御手段と、を具備した光ディスク装置。
【請求項２】
光ディスクからの反射光の焦点位置を挟んで前記反射光の光軸に沿って前後に配置され前記反射光を受光する一組の第１受光手段と、
前記反射光の焦点位置から離れる方向に前記第１受光手段の検出位置から離間して設けられ前記光ディスクからの反射光を受光する一組の第２受光手段と、
前記反射光に基づいて前記光ディスクにレーザ光のフォーカスを合せる駆動手段と、
前記反射光に基づいて前記光ディスクの表面粗さを検出し、前記光ディスクの表面粗さが所定の粗さを越えた場合、光ディスクからの反射光の受光を前記一組の第１受光手段から前記一組の第２受光手段に切替え、前記一組の第２受光手段の検出位置で前記反射光を受光させる制御手段と、を具備した光ディスク装置。
【請求項３】
前記制御手段は、前記光ディスクの複数の測定位置で、前記光ディスクに所定の速度でフォーカス駆動電圧を加えていくときのフォーカス点とフォーカス駆動電圧を戻すときのフォーカス点との時間幅を各々求め、前記複数の測定位置で求められた時間幅の最大値と最小値との差異が所定値より大きいとき、前記光ディスクの表面粗さが所定の粗さを越えたと判断することを特徴とする請求項１乃至請求項２記載の光ディスク装置。
【請求項４】
光ディスクからの反射光の焦点位置を挟んで前記反射光の光軸に沿って前後に配置され前記反射光を受光する一組の第１受光手段と、
前記反射光の焦点位置から離れる方向に前記第１受光手段の検出位置から離間して設けられ前記光ディスクからの反射光を受光する一組の第２受光手段と、
前記反射光に基づいて前記光ディスクにレーザ光のフォーカスを合せる駆動手段と、
前記反射光に基づいて前記光ディスクの装着面が記録面かレーベル面かを検出し、前記装着面がレーベル面の場合、光ディスクからの反射光の受光を前記一組の第１受光手段から前記一組の第２受光手段に切替え、前記一組の第２受光手段で前記反射光を受光させる制御手段と、を具備した光ディスク装置。
【請求項５】
前記制御手段は、所定の測定位置で、前記光ディスクに所定の速度でフォーカス駆動電圧を加えていくときのフォーカス点とフォーカス駆動電圧を戻すときのフォーカス点との時間幅を求め、前記時間幅が所定値より大きいとき、前記装着面がレーベル面であると判断することを特徴とする請求項４記載の光ディスク装置。
【請求項６】
前記制御手段は、所定の測定位置で、前記光ディスクに所定の速度でフォーカス駆動電圧を加えていくときのフォーカスエラーＳ字曲線が複数発生したと判断したとき、前記装着面がレーベル面であると判断することを特徴とする請求項４記載の光ディスク装置。
【請求項７】
前記制御手段は、所定の測定位置で、前記光ディスクに所定の速度でフォーカス駆動電圧を加えていくときのフォーカスエラーＳ字曲線が複数発生したと判断したとき、前記光ディスクの内周に記録された情報を読取り、前記読取った情報の中に前記装着面がレーベル面であることを示す情報があれば、前記装着面がレーベル面であると判断することを特徴とする請求項４記載の光ディスク装置。
【請求項８】
光ディスクからの反射光の焦点位置を挟んで前記反射光の光軸に沿って前後に前記反射光を受光する一組の受光手段を配置し、
前記反射光に基づいて前記光ディスクにレーザ光のフォーカスを合せ、
前記反射光に基づいて前記光ディスクの表面粗さを検出し、前記光ディスクの表面粗さが所定の粗さを越えた場合、前記一組の受光手段の検出位置を前記反射光の光軸に沿って前記反射光の焦点位置から離間する方向に移動させ、移動した検出位置で前記一組の受光手段に前記反射光を受光させる光ディスク装置のレーザ光受光方法。
【請求項９】
光ディスクからの反射光の焦点位置を挟んで前記反射光の光軸に沿って前後に前記反射光を受光する一組の第１受光手段を配置し、
前記反射光の焦点位置から離れる方向に前記第１受光手段の検出位置から離間して前記光ディスクからの反射光を受光する一組の第２受光手段を設け、
前記反射光に基づいて前記光ディスクにレーザ光のフォーカスを合せ、
前記反射光に基づいて前記光ディスクの表面粗さを検出し、前記光ディスクの表面粗さが所定の粗さを越えた場合、光ディスクからの反射光の受光を一組の第１受光手段から前記一組の第２受光手段に切替え、前記一組の第２受光手段の検出位置で前記反射光を受光させる光ディスク装置のレーザ光受光方法。
【請求項１０】
前記光ディスクの表面粗さの検出は、前記光ディスクの複数の測定位置で、前記光ディスクに所定の速度でフォーカス駆動電圧を加えていくときのフォーカス点とフォーカス駆動電圧を戻すときのフォーカス点との時間幅を各々求め、前記複数の測定位置で求められた時間幅の最大値と最小値の差異が所定値より大きいとき、前記光ディスクの表面粗さが所定の粗さを越えたと判断することを特徴とする請求項８乃至請求項９記載の光ディスク装置のレーザ光受光方法。
【請求項１１】
光ディスクからの反射光の焦点位置を挟んで前記反射光の光軸に沿って前後に前記反射光を受光する一組の反射光の第１受光手段を配置し、
前記反射光の焦点位置から離れる方向に前記第１受光手段の検出位置から離間して前記光ディスクからの反射光を受光する一組の第２受光手段を設け、
前記反射光に基づいて前記光ディスクにレーザ光のフォーカスを合せ、
前記反射光に基づいて前記光ディスクが記録面かレーベル面かを検出し、前記光ディスクがレーベル面の場合、光ディスクからの反射光の受光を一組の第１受光手段から前記一組の第２受光手段に切替え、前記一組の第２受光手段で前記反射光を受光させる光ディスク装置のレーザ光受光方法。
【請求項１２】
前記光ディスクが記録面かレーベル面かの検出は、前記光ディスクに所定の速度でフォーカス駆動電圧を加えていくときのフォーカス点とフォーカス駆動電圧を戻すときのフォーカス点との時間幅を求め、前記時間幅が所定値より大きいとき前記装着面がレーベル面であると判断することを特徴とする請求項１１記載の光ディスク装置のレーザ光受光方法。
【請求項１３】
前記光ディスクが記録面かレーベル面かの検出は、前記光ディスクに所定の速度でフォーカス駆動電圧を加えていくときのフォーカスエラーＳ字曲線が複数発生したと判断したとき、前記装着面がレーベル面であると判断することを特徴とする請求項１１記載の光ディスク装置のレーザ光受光方法。
【請求項１４】
前記光ディスクが記録面かレーベル面かの検出は、所定の測定位置で、前記光ディスクに所定の速度でフォーカス駆動電圧を加えていくときのフォーカスエラーＳ字曲線が複数発生したと判断したとき、前記光ディスクの内周に記録された情報を読取り、前記読取った情報の中に前記装着面がレーベル面であることを示す情報があれば、前記装着面がレーベル面であると判断することを特徴とする請求項１１記載の光ディスク装置のレーザ光受光方法。
【発明の詳細な説明】
【技術分野】
【０００１】
本発明はレーザー光の照射により光ディスクにレーザ光の焦点を合わせて情報記録を行う光ディスク装置に関し特にレーベル面などの表面が粗い記録面にフォーカスを合わせ情報を記録する光ディスク装置に関するものである。
【０００２】
また、本発明は上述の光ディスク装置において所定のレーザ光を信号記録媒体のレーベル層などの表面が粗い記録面にフォーカスを合わせて情報を記録する光ディスク装置におけるレーザ光受光方法に関するものである。
【背景技術】
【０００３】
光ディスクに情報を記録するには、光ピックアップに設けたレーザ光を光ディスクの記録面に焦点を合わせて照射し、光ディスクの記録面の化学変化を利用して記録マークなどを形成し、再生のときにはこの記録マークを読取信号に変換して情報の復元を行っている。
【０００４】
光ディスクの記録面に情報を記録したり、光ディスクの情報を再生するには、前述のように記録面に追従して焦点を合わせるようにフォーカス制御が実施される。従って記録面が平坦で光ディスクの面振れなどによる記録面の変動が少ないほどフォーカス制御が容易であるが記録面が粗い光ディスクではフォーカス制御に時間を要することがあった。
【０００５】
一方、光ディスクの記録面側とは反対側の面には、光ディスクに記録した情報の内容が把握できるようにレーベル情報を表示することがよく行われている。この光ディスクの記録面と反対側の面をレーベル面と呼んでいる。
【０００６】
従来は、光ディスクの記録面に記録した情報の内容が把握できるようにレーベル面に情報を記録するには、印刷したシールを貼り付けたり、レーベル面に設けた記録面にユーザがフェルトペンなどで手書きにより記入したり、レーベル面に設けた印刷可能な面にインクジェットプリンタなどでレーベル情報を印刷したりして情報を記録していたが、近年光ディスク装置の光ピックアップにより照射されるレーザ光により、光ディスクのレーベル面に設けた可視光特性変化層を設けて、文字や可視画像などのレーベル情報を記録する技術が開発されている（例えば、特許文献１）。
【特許文献１】特開２００６−１２４２０号公報
【発明の開示】
【発明が解決しようとする課題】
【０００７】
従来の技術において光ディスク装置の光ピックアップは記録面の光ピックアップと共用で使用できるので有用であるが、光ディスクの記録面とレーベル層とでは、光ディスクの表面からの記録位置が異なっていたり記録面の粗さが異なっているので、記録面を記録するときと同じフォーカス制御を有する光ディスク装置では、フォーカスエラーが発生しやすく、フォーカス制御の時間がかかり、結果として記録時間がかかる課題があった。
【０００８】
本発明は、レーベル面のように表面が粗い光ディスクの記録面にレーザ光のフォーカスを安定して合わせることが可能な光ディスク装置及びそのレーザ光受光方法を提供することを目的とする。
【課題を解決するための手段】
【０００９】
かかる問題を解決するため、本発明は、光ディスクからの反射光の焦点位置を挟んで反射光の光軸に沿って前後に配置され反射光を受光する一組の受光手段と、反射光に基づいて光ディスクにレーザ光のフォーカスを合せる駆動手段と、一組の受光手段の検出位置を反射光の光軸に沿って反射光の焦点位置から離間する方向に移動させる手段と、反射光に基づいて光ディスクの表面粗さを検出し、光ディスクの表面粗さが所定の粗さを越えた場合、一組の受光手段の検出位置を反射光の光軸に沿って反射光の焦点位置から離間する方向に移動させ、移動した検出位置で一組の受光手段に反射光を受光させる制御手段とを具備したものである。
【発明の効果】
【００１０】
反射光の受光手段の位置を移動することにより反射光の受光量のレベルを変えるので、光ディスクの表面の粗さの状態によって変化する反射光の受光手段の受光レベルを最適に調整することができるようになり、光ディスクの表面粗さに応じて反射光の検出レベルをできるので、フォーカス制御の時間が短縮でき結果として記録時間が短縮できるので、記録時間の短い光ディスク装置及びそのレーザ光受光方法を提供することができる。
【発明を実施するための最良の形態】
【００１１】
請求項１記載の発明は、光ディスクからの反射光の焦点位置を挟んで反射光の光軸に沿って前後に配置され反射光を受光する一組の受光手段と、反射光に基づいて光ディスクにレーザ光のフォーカスを合せる駆動手段と、一組の受光手段の検出位置を反射光の光軸に沿って反射光の焦点位置から離間する方向に移動させる手段と、反射光に基づいて光ディスクの表面粗さを検出し、光ディスクの表面粗さが所定の粗さを越えた場合、一組の受光手段の検出位置を反射光の光軸に沿って反射光の焦点位置から離間する方向に移動させ、移動した検出位置で一組の受光手段に反射光を受光させる制御手段と、を具備したものである。
【００１２】
この構成によれば、反射光の受光手段の位置を移動することにより反射光の受光量のレベルを変えるので、光ディスクの表面の粗さの状態によって変化する反射光の受光手段の受光レベルを最適に調整することができるようになり、光ディスクの表面粗さに応じて反射光の検出レベルを最適化できるので、フォーカス制御の時間が短縮でき結果として記録時間が短縮できるので、記録時間の短い光ディスク装置を提供することができる。
【００１３】
請求項２記載の発明は、光ディスクからの反射光の焦点位置を挟んで反射光の光軸に沿って前後に配置され反射光を受光する一組の第１受光手段と、反射光の焦点位置から離れる方向に第１受光手段の検出位置から離間して設けられ光ディスクからの反射光を受光する一組の第２受光手段と、反射光に基づいて光ディスクにレーザ光のフォーカスを合せる駆動手段と、反射光に基づいて光ディスクの表面粗さを検出し、光ディスクの表面粗さが所定の粗さを越えた場合、光ディスクからの反射光の受光を一組の第１受光手段から一組の第２受光手段に切替え、一組の第２受光手段の検出位置で反射光を受光させる制御手段とを具備したものである。
【００１４】
この構成によれば、反射光の受光手段の位置を切替えることにより反射光の受光量のレベルを変えるので、光ディスクの表面の粗さの状態によって変化する反射光の受光手段の受光レベルを最適に調整することができるようになり、光ディスクの表面粗さに応じて反射光の検出レベルを最適化できるので、フォーカス制御の時間が短縮でき結果として記録時間が短縮できるので、記録時間の短い光ディスク装置を提供することができる。
【００１５】
請求項３記載の発明は、請求項１乃至請求項２記載の発明において、制御手段は、光ディスクの複数の測定位置で、光ディスクに所定の速度でフォーカス駆動電圧を加えていくときのフォーカス点とフォーカス駆動電圧を戻すときのフォーカス点との時間幅を各々求め、複数の測定位置で求められた時間幅の最大値と最小値との差異が所定値より大きいとき、光ディスクの表面粗さが所定の粗さを越えたと判断するものである。
【００１６】
この構成によれば、光ディスクの表面粗さの検出を、光ディスクの複数の測定位置でのフォーカス点の測定により記録面までの距離で表面の粗さを検出することがきるので、光ディスクの表面粗さに応じて反射光の検出レベルを最適化できるので、フォーカス制御の時間が短縮でき結果として記録時間が短縮できるので、記録時間の短い光ディスク装置を提供することができるようになる。
【００１７】
請求項４記載の発明は、光ディスクからの反射光の焦点位置を挟んで反射光の光軸に沿って前後に配置され反射光を受光する一組の第１受光手段と、反射光の焦点位置から離れる方向に第１受光手段の検出位置から離間して設けられ光ディスクからの反射光を受光する一組の第２受光手段と、反射光に基づいて光ディスクにレーザ光のフォーカスを合せる駆動手段と、反射光に基づいて光ディスクの装着面が記録面かレーベル面かを検出し、装着面がレーベル面の場合、光ディスクからの反射光の受光を一組の第１受光手段から一組の第２受光手段に切替え、一組の第２受光手段で反射光を受光させる制御手段と、を具備したものである。
【００１８】
この構成によれば、反射光に基づいて光ディスクが記録面かレーベル面かを検出し、光ディスクがレーベル面の場合、光ディスクからの反射光の受光を第１受光手段から第２受光手段に切替え、第２受光手段で反射光を受光させることにより、記録する面が反射が強い記録面に対しては、第１受光手段でとし反射が弱いレーベル面に記録するときには第２受光手段に切替て受光レベルを調整でき反射光の検出レベルを最適化できるので、フォーカス制御の時間が短縮でき結果として記録時間が短縮できるので、記録時間の短い光ディスク装置を提供することができるようになる。
【００１９】
請求項５記載の発明は、請求項４記載の発明において、制御手段は、所定の測定位置で、光ディスクに所定の速度でフォーカス駆動電圧を加えていくときのフォーカス点とフォーカス駆動電圧を戻すときのフォーカス点との時間幅を求め、時間幅が所定値より大きいとき、装着面がレーベル面であると判断するものである。
【００２０】
この構成によれば、所定の測定位置で、光ディスクに所定の速度でフォーカス駆動電圧を加えていくときのフォーカス点とフォーカス駆動電圧を戻すときのフォーカス点の時間幅に基づいて時間幅が所定値より大きいとき光ディスクの記録する面がレーベル面側と判断するので、第２受光手段に切替て受光レベルを調整でき反射光の検出レベルを最適化できるので、フォーカス制御の時間が短縮でき結果として記録時間が短縮できるようになり記録時間の短い光ディスク装置を提供することができるようになる。
【００２１】
請求項６記載の発明は、請求項４記載の発明において、制御手段は、所定の測定位置で、光ディスクに所定の速度でフォーカス駆動電圧を加えていくときのフォーカスエラーＳ字曲線が複数発生したと判断したとき、装着面がレーベル面であると判断するものである。
【００２２】
この構成によれば、フォーカスＳ字曲線が複数のピークを有すると判断したらレーベル面と判断するので、レーベル面の判別が短時間でレーベル面側と判断するので、レーベル面と判断したら第２受光手段に切替て受光レベルを調整でき反射光の検出レベルを最適化できるので、フォーカス制御の時間が短縮でき結果として記録時間が短縮できるようになり記録時間の短い光ディスク装置を提供することができるようになる。
【００２３】
請求項７記載の発明は、請求項４記載の発明において、制御手段は、所定の測定位置で、光ディスクに所定の速度でフォーカス駆動電圧を加えていくときのフォーカスエラーＳ字曲線が複数発生したと判断したとき、光ディスクの内周に記録された情報を読取り、読取った情報の中に装着面がレーベル面であることを示す情報があれば、装着面がレーベル面であると判断するものである。
【００２４】
この構成によれば、フォーカスエラーＳ字曲線が複数発生したと判断したら、光ディスクの内周に記録された情報を読取り、読取った情報の中に装着面がレーベル面であることを示す情報があれば、レーベル面と判断することにより、フォーカスＳ字曲線がエラーとなってレーベル面と判断してもさらに内周部に記録された情報で再確認ができるので、さらに確実にレーベル面かどうかを判別できるようになる。
【００２５】
請求項８記載の発明は、光ディスクからの反射光の焦点位置を挟んで反射光の光軸に沿って前後に反射光を受光する一組の受光手段を配置し、反射光に基づいて光ディスクにレーザ光のフォーカスを合せ、反射光に基づいて光ディスクの表面粗さを検出し、光ディスクの表面粗さが所定の粗さを越えた場合、一組の受光手段の検出位置を反射光の光軸に沿って反射光の焦点位置から離間する方向に移動させ、移動した検出位置で一組の受光手段に反射光を受光させるものである。
【００２６】
この方法によれば、反射光の受光手段の位置を移動することにより反射光の受光量のレベルを変えるので、光ディスクの表面の粗さの状態によって変化する反射光の受光手段の受光レベルを最適に調整することができるようになり、光ディスクの表面粗さに応じて反射光の検出レベルを最適化できるので、フォーカス制御の時間が短縮でき結果として記録時間が短縮できるので、記録時間の短い光ディスク装置を提供することができる。
【００２７】
請求項９記載の発明は、光ディスクからの反射光の焦点位置を挟んで反射光の光軸に沿って前後に反射光を受光する一組の第１受光手段を配置し、反射光の焦点位置から離れる方向に第１受光手段の検出位置から離間して光ディスクからの反射光を受光する一組の第２受光手段を設け、反射光に基づいて光ディスクにレーザ光のフォーカスを合せ、反射光に基づいて光ディスクの表面粗さを検出し、光ディスクの表面粗さが所定の粗さを越えた場合、光ディスクからの反射光の受光を一組の第１受光手段から一組の第２受光手段に切替え、一組の第２受光手段の検出位置で反射光を受光させるものである。
【００２８】
この方法によれば、反射光の受光手段の位置を切替えることにより反射光の受光量のレベルを変えるので、光ディスクの表面の粗さの状態によって変化する反射光の受光手段の受光レベルを最適に調整することができるようになり、光ディスクの表面粗さに応じて反射光の検出レベルを最適化できるので、フォーカス制御の時間が短縮でき結果として記録時間が短縮できるので、記録時間の短い光ディスク装置のレーザ光受光方法を提供することができる。
【００２９】
請求項１０記載の発明は、請求項８乃至請求項９記載の発明において、光ディスクの表面粗さの検出は、光ディスクの複数の測定位置で、光ディスクに所定の速度でフォーカス駆動電圧を加えていくときのフォーカス点とフォーカス駆動電圧を戻すときのフォーカス点との時間幅を各々求め、複数の測定位置で求められた時間幅の最大値と最小値の差異が所定値より大きいとき、光ディスクの表面粗さが所定の粗さを越えたと判断するものである。
【００３０】
この方法によれば、光ディスクの表面粗さの検出を、光ディスクの複数の測定位置でのフォーカス点の測定により記録面までの距離で表面の粗さを検出することがきるので、光ディスクの表面粗さに応じて反射光の検出レベルを最適化できるので、フォーカス制御の時間が短縮でき結果として記録時間が短縮できるので、記録時間の短い光ディスク装置のレーザ光受光方法を提供することができるようになる。
【００３１】
請求項１１記載の発明は、光ディスクからの反射光の焦点位置を挟んで反射光の光軸に沿って前後に反射光を受光する一組の反射光の第１受光手段を配置し、反射光の焦点位置から離れる方向に第１受光手段の検出位置から離間して光ディスクからの反射光を受光する一組の第２受光手段を設け、反射光に基づいて光ディスクにレーザ光のフォーカスを合せ、反射光に基づいて光ディスクが記録面かレーベル面かを検出し、光ディスクがレーベル面の場合、光ディスクからの反射光の受光を一組の第１受光手段から一組の第２受光手段に切替え、一組の第２受光手段で反射光を受光させるものである。
【００３２】
この方法によれば、反射光に基づいて光ディスクが記録面かレーベル面かを検出し、光ディスクがレーベル面の場合、光ディスクからの反射光の受光を第１受光手段から第２受光手段に切替え、第２受光手段で反射光を受光させることにより、記録する面が反射が強い記録面に対しては、第１受光手段でとし反射が弱いレーベル面に記録するときには第２受光手段に切替て受光レベルを調整でき反射光の検出レベルを最適化できるので、フォーカス制御の時間が短縮でき結果として記録時間が短縮できるので記録時間の短い光ディスク装置のレーザ光受光方法を提供することができるようになる。
【００３３】
請求項１２記載の発明は、請求項１１記載の発明において、光ディスクが記録面かレーベル面かの検出は、光ディスクに所定の速度でフォーカス駆動電圧を加えていくときのフォーカス点とフォーカス駆動電圧を戻すときのフォーカス点との時間幅を求め、時間幅が所定値より大きいとき装着面がレーベル面であると判断するものである。
【００３４】
この方法によれば、所定の測定位置で、光ディスクに所定の速度でフォーカス駆動電圧を加えていくときのフォーカス点とフォーカス駆動電圧を戻すときのフォーカス点の時間幅に基づいて時間幅が所定値より大きいとき光ディスクの記録する面がレーベル面側と判断するので、第２受光手段に切替て受光レベルを調整でき反射光の検出レベルを最適化できるので、フォーカス制御の時間が短縮でき結果として記録時間が短縮できるようになり記録時間の短い光ディスク装置のレーザ光受光方法を提供することができるようになる。
【００３５】
請求項１３記載の発明は、請求項１１記載の発明において、光ディスクが記録面かレーベル面かの検出は、光ディスクに所定の速度でフォーカス駆動電圧を加えていくときのフォーカスエラーＳ字曲線が複数発生したと判断したとき、装着面がレーベル面であると判断するものである。
【００３６】
この方法によれば、フォーカスエラーＳ字曲線が複数のピークを有すると判断したらレーベル面と判断するので、レーベル面の判別が短時間でレーベル面側と判断するので、レーベル面と判断したら第２受光手段に切替て受光レベルを調整でき反射光の検出レベルを最適化できるので、フォーカス制御の時間が短縮でき結果として記録時間が短縮できるようになり記録時間の短い光ディスク装置のレーザ光受光方法を提供することができるようになる。
【００３７】
請求項１４記載の発明は、請求項１１記載の発明において、光ディスクが記録面かレーベル面かの検出は、所定の測定位置で、光ディスクに所定の速度でフォーカス駆動電圧を加えていくときのフォーカスエラーＳ字曲線が複数発生したと判断したとき、光ディスクの内周に記録された情報を読取り、読取った情報の中に装着面がレーベル面であることを示す情報があれば、装着面がレーベル面であると判断するものである。
【００３８】
この方法によれば、フォーカスＳ字曲線が複数のピークを有すると判断したら、光ディスクの内周に記録された情報を読取り、読取った情報にレーベル面情報があれば、レーベル面と判断することにより、読取エラーによってレーベル面と判断してもさらに内周部の情報で確認ができるのでさらに確実にレーベル面かどうかを判別できるようになり、レーベル面と判断したら第２受光手段に切替て受光レベルを調整でき反射光の検出レベルを最適化できるので、フォーカス制御の時間が短縮でき結果として記録時間が短縮できるようになり記録時間の短い光ディスク装置のレーザ光受光方法を提供することができるようになる。
【００３９】
以下、本発明を実施するための最良の実施の形態について、図面を参照にしながら説明する。
【００４０】
（実施の形態１）
図１は、本発明の実施の形態１における光ディスク装置の斜視図、図２は、本発明の実施の形態１における光ディスク装置の外観図で、筐体の天部を除去した図である。
【００４１】
図１および図２において光ディスク装置１には筐体２及びトレイ３があり図１、図２は筐体２からトレイ３を引き出した状態を示している。
【００４２】
筐体２は天部２ａと底部２ｂから構成されている。トレイ３には光ピックアップモジュール４が設けられている。光ピックアップモジュール４には光学系を構成した光ピックアップ５と光ディスクを回転させるスピンドルモータ４ａ及び制御回路を構成する回路基板４ｃが構成されている。
【００４３】
光ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスクを装着し回転駆動させる。トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００４４】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００４５】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）１０で接続されており、このＦＰＣ１０によって回路基板９と回路基板４ｃとの電気的導通が図られる。
【００４６】
電力系としては、スピンドルモータ４ａや、光ピックアップモジュール４に設けられ光ピックアップ５を光ディスクの径方向に駆動するフィードモータ（図示せず）への電力供給及び光ピックアップ５に設けられた半導体レーザ（図示せず）への電力供給が有り、信号としては、光ディスクから読み取りまたは光ディスクに書き込むデータの信号や、スピンドルモータ４ａ、フィードモータ、半導体レーザを制御する信号がある。
【００４７】
図３は、本発明の実施の形態１に係わる光ディスク装置のブロック図である。
【００４８】
図３に示すように、光ディスク装置１は、光ピックアップモジュール４、スピンドルモータ４ａ、サーボモジュール１５、信号制御部１６、ＣＰＵ１７、メインメモリ１８、バッファメモリ１９、インターフェース２０を有している。
【００４９】
ＣＰＵ１７では、ディスク表面粗さ検出処理手段２１、フォーカス制御手段２２を備えている。
【００５０】
また、パーソナルコンピュータ１１１に接続され、光ディスク１１に記録されたデータをパーソナルコンピュータ１１１に出力したり、パーソナルコンピュータ１１１のデータを光ディスク１１に記録したりできる構成としている。
【００５１】
光ピックアップ手段である光ピックアップモジュール４は、半導体レーザ（図示せず）を有し、光ディスク１１へのデータの記録、再生時にレーザ光を照射し、記録および再生を行う。スピンドルモータ４ａは、光ディスク１１の回転を行う。
【００５２】
サーボモジュール１５は、フィードモータ（図示せず）の移動駆動制御およびスピンドルモータ４ａの回転数を制御する回転速度駆動制御手段である。パーソナルコンピュータ１１１と光ディスク装置１の接続手段であるインターフェース２０は、パーソナルコンピュータ１１１とのデータ信号の送信および受信を行う。ＣＰＵ１７は記憶手段であるメインメモリ１８を備え、メインメモリ１８に記録されたプログラム（ファームウェア）により、サーボモジュール１５の制御と信号処理及びパーソナルコンピュータ１１１とのインターフェース２０の制御を行ない光ディスク１１の情報再生や光ディスク１１への情報記録を行う。
【００５３】
信号制御部１６は、光ディスク１１からの反射光を基に、フォーカスエラー信号やトラッキングエラー信号を求める。
【００５４】
パーソナルコンピュータ１１１と光ディスク装置１とは、インターフェース２０で接続されており、パーソナルコンピュータ１１１からの制御信号たとえばＡＴＡＰＩパケットコマンドを基に光ディスク装置１はパーソナルコンピュータ１１１に応答し、光ディスク装置１の情報を読み込んだり、光ディスク装置１に情報を記録したりする。パーソナルコンピュータ１１１と光ディスク装置１はケーブル１１２で接続されている。また、インターフェース２０は、ＳＣＳＩインターフェースや、ＩＤＥインターフェース等である。
【００５５】
パーソナルコンピュータ１１１からＡＴＡＰＩパケットコマンドを発行し、ＡＴＡＰＩパケットコマンドに続いてデータを光ディスク装置１に転送することができる。
【００５６】
光ディスク１１としては、記録面に対しての情報を記録することができる光ディスクおよびレーベル面への画像や文字などの記録もできるタイプの光ディスクである。
【００５７】
図４は、本発明の実施の形態１に係わる光ディスクとレーザ光の関係を示した図である。
【００５８】
光ディスク１１は、記録面とレーベル面の両方の面に記録ができるものである。
【００５９】
図４において、図４（ａ）は記録面に記録するときのレーザ光の焦点位置を、図４（ｂ）はレーベル面に記録するときのレーザ光の焦点位置を、図４（ｃ）は光ディスクのレーベル面側の外観図を示している。
【００６０】
光ディスクの表面から反射面までの距離Ｈ１は、ＣＤで約１．２ｍｍ、ＤＶＤで約０．６ｍｍ、ブルーレイディスク約０．１ｍｍであるのに、レーベル面までの距離Ｈ２は、約０．０２ｍｍで極端に短い。
【００６１】
光ディスク１１において、同一の光ピックアップで記録面１１ａとレーベル面１１ｂの２つの面に記録できる構成としている。従って、記録面１１ａに記録した後レーベル面１１ｂに記録するには、光ディスク１１を光ピックアップの対物レンズ３１側にレーベル面が対向するように裏返して取り付ける。
【００６２】
光ディスク１１の記録面１１ａとレーベル面１１ｂとの表面の粗さが異なっており、レーベル面１１ｂ側が粗い構成となっている。
【００６３】
光ディスク１１への記録や再生のときは、所望の記録面に焦点（フォーカス）をあわせるように対物レンズ３１を光ディスク１１に対して近づけたり遠ざけたりして光ビーム３２の焦点をあわせる。
【００６４】
図４（ｃ）に示すように光ディスク１１のレーベル面の内周近くには、光ピックアップ５に向けて装着されている装着面が、レーベル面側であり、レーザ光によって情報の記録、例えば文字や写真・画像・イラストなどを記録することが可能であることを示す情報を含んだエンボス領域５１を設けている。
【００６５】
図５は、本発明の実施の形態１に係わる記録面に対するフォーカスエラーを説明する図である。
【００６６】
図５は光ピックアップの対物レンズ３１を光ディスク１１から離れた位置から一定の速度で光ディスク１１に近づけるようにフォーカス駆動値を上げ、所定のフォーカス駆動値になるとまた遠ざけるようにフォーカス駆動値を下げたときのフォーカスエラー信号を示す。
【００６７】
図５（ｃ）は、フォーカス駆動電圧で、図５（ａ）は図５（ｄ）のＰ１の位置でのフォーカスエラー信号、図５（ｂ）はＰ２の位置でのフォーカスエラー信号を示す。
【００６８】
このフォーカスエラー（ＦＥ）信号の２つのＳ字曲線のゼロクロス点間Ｌ１、Ｌ２の時間より求めた周期Ｗ１をメインメモリ１８に記憶し、次に光ディスク１１を僅かに回転させ同様にフォーカスエラー（ＦＥ）信号の２つのＳ字曲線のゼロクロス点間の時間より求めた周期Ｗ２を求める。この測定では、フォーカス駆動値を数回上下させて求めてもよい。また測定位置は少なくとも２つ以上の位置で測定するとよい。
【００６９】
このＷ１、Ｗ２およびそれ以上測定したＷｎの値の最大値と最小値を求めると、光ディスク記録面の表面粗さとして得ることができる。
【００７０】
図６は、本発明の実施の形態１に係わるレーベル面に対するフォーカスエラーを説明する図である。
【００７１】
図６に示すようにレーベル面の記録層に対してのフォーカスエラー信号は単一のＳ字曲線ではなく複数のピークを有するＳ字信号となる。フォーカスエラー（ＦＥ）信号の周期Ｗ３またはピークの発生する間隔Ｗ４またはピークの発生数量を検出することでレーベル面が対物レンズ３１に対向していることを検出することができる。
【００７２】
図７は、本発明の実施の形態１に係わるフォーカスエラー検出の構成の一例を示す図である。
【００７３】
図７において、光ディスク１１からの反射光は、ハーフミラー４１によって分離された反射光の検出器４３とハーフミラー４１を通過した反射光の検出器４４との２つの検出器の信号を加算器４６で加算して求められる。
【００７４】
加算器４６の出力は、図５および図６に示すＳ字曲線となる。
【００７５】
検出器４３及び検出器４４は、移動手段４５によって連動して移動可能としており、反射光のフォーカス位置４２から離れたり近づいたりするようにしている。
【００７６】
反射光の光量に応じて反射光のフォーカス位置から検出器の位置を変えることで、所望の光量を検出器に設定することができる。
【００７７】
例えば、反射光の光量が少ないレーベル面のような記録面に対しては、移動手段４５でフォーカス位置４２から離すように移動すると反射光の検出器での径を調整することができ、所望の光量に調整できるので検出レベルが上がる。
【００７８】
図８は、本発明の実施の形態１に係わる検出器位置設定処理のフローチャートである。
【００７９】
図８において、検出器位置の設定処理が開始されると（Ｓ８００）、光ディスク１１が装着されているかどうかを判定し（Ｓ８０１）、光ディスク１１がなければ光ディスク１１が装着されるまで監視する。
【００８０】
光ディスク１１が装着されると、フォーカスコイルに一定速度で駆動電圧をかけて、対物レンズ３１を光ディスク１１に近づけた後、遠ざけるようにしてフォーカスコイルを駆動し（Ｓ８０２）、近づけるときのフォーカスＳ字曲線と、光ディスクに近づけた位置から遠ざけるときのフォーカスＳ字曲線を求める（Ｓ８０３）。
【００８１】
両方のフォーカスＳ字曲線のゼロクロス点の間隔を算出し（Ｓ８０４）、メインメモリ１８に算出値を格納する（Ｓ８０５）。
【００８２】
光ディスク１１の所定の位置を検出したかどうかを判別し（Ｓ８０６）、所定の位置を検出していなければ、光ディスク１１を僅かに回転するなどして位置を移動し（Ｓ８０７）、（Ｓ８０２）に戻って処理を続ける。
【００８３】
所定の位置を検出したら、検出し、フォーカスＳ字曲線のゼロクロス点の間隔の最大値（ＭＡＸ）と最小値（ＭＩＮ）の差分を算出し（Ｓ８０８）、算出した結果が閾値より小さいかどうか判別し（Ｓ８０９）、小さくなかったら検出器の位置を移動し（Ｓ８１０）、（Ｓ８０２）に戻って処理を続ける。
【００８４】
フォーカスＳ字曲線のゼロクロス点の間隔の最大値（ＭＡＸ）と最小値（ＭＩＮ）の差分が閾値より小さくなったら、この位置で検出器の検出位置を決定して（Ｓ８１１）、フォーカスサーボ開始し（Ｓ８１２）、検出器位置の設定処理を終了する（Ｓ８１３）。
【００８５】
図９は、本発明の実施の形態１に係わる検出器位置設定処理のフローチャートである。
【００８６】
検出器位置の設定処理が開始されると（Ｓ９００）、光ディスク１１があるかどうか判別し（Ｓ９０１）、光ディスク１１がなければ光ディスク１１が装着されるまで監視する。
【００８７】
光ディスク１１が装着されると、フォーカスコイルに一定速度で駆動電圧をかけて、対物レンズ３１を光ディスク１１に近づけた後、遠ざけるようにしてフォーカスコイルを駆動し（Ｓ９０２）、近づけるときのフォーカスＳ字曲線と、光ディスクに近づけた位置から遠ざけるときのフォーカスＳ字曲線を求める（Ｓ９０３）。
【００８８】
両方のフォーカスＳ字曲線のゼロクロス点の間隔を算出し（Ｓ９０４）、算出したＳ字曲線のゼロクロス点の間隔が閾値より小さいかどうか判別し（Ｓ９０５）、閾値より小さければ記録面に対向しているとして検出器の位置を記録面の位置に設定し（Ｓ９０６）、閾値より小さくなかったら、レーベル面の検出位置に移動し（Ｓ９０７）、この位置で検出器の検出位置を決定してフォーカスサーボ開始し（Ｓ９０８）、検出器位置の設定処理を終了する（Ｓ９０９）。
【００８９】
図１０は、本発明の実施の形態１に係わる別の検出器位置設定処理のフローチャートである。
【００９０】
図１０において、検出器位置の設定処理が開始されると（Ｓ１０００）、光ディスク１１があるかどうか判別し（Ｓ１００１）、光ディスク１１がなければ光ディスク１１が装着されるまで監視する。
【００９１】
光ディスク１１が装着されると、フォーカスコイルに一定速度で駆動電圧をかけて、対物レンズ３１を光ディスク１１に近づけた後、遠ざけるようにしてフォーカスコイルを駆動し（Ｓ１００２）、近づけるときのフォーカスＳ字曲線と、光ディスクに近づけた位置から遠ざけるときのフォーカスＳ字曲線を求める（Ｓ１００３）。
【００９２】
求めたＳ字曲線が単一のＳ字曲線かどうか判別し（Ｓ１００４）、複数のＳ字曲線のときは、内周部のエンボス位置に移動して（Ｓ１００５）、スポーク信号を検出しレーベル面に記入できる光ディスクかどうかを判別し（Ｓ１００６）、レーベルであれば、レーベル検出位置に検出器を移動し（Ｓ１０１０）、フォーカスサーボ開始し（Ｓ１０１１）、検出器位置の設定処理を終了する（Ｓ１０１２）。
【００９３】
レーベル面でなければ、検出器の位置は記録面検出とし（Ｓ１００７）、（Ｓ１０１１）の処理へ移行する。
【００９４】
Ｓ字が単一曲線のときは、フォーカスゼロ点間隔を算出し（Ｓ１００８）、間隔が閾値以上かどうか判別し（Ｓ１００９）、閾値以上であれば、（Ｓ１０１０）の処理を、閾値以上でなければ（Ｓ１００７）に戻り処理を続ける。
【００９５】
（実施の形態２）
本発明の実施の形態２について、図面を参照にしながら説明する。
【００９６】
なお、本発明の実施の形態２においては、実施の形態１と重複する構成や方法については繰り返し述べない。
【００９７】
図１１は、本発明の実施の形態２に係わるフォーカスエラー検出の構成の一例を示す図である。
【００９８】
図１１において、光ディスク１１からの反射光は、第１の検出器４３ａ、４３ｂの組と、第２の検出器４４ａ、４４ｂの２組の組の検出器を備えている。
【００９９】
それぞれの組の検出器は、反射光のフォーカス位置４２を挟んで離間して配置されている。
【０１００】
第２の検出器４４ａ、４４ｂの組は第１の検出器４３ａ、４３ｂの位置より反射光のフォーカス位置４２から離れて外側に配置している。
【０１０１】
２組の検出器は、光ディスク１１の記録面の面の粗さによって、面の粗さが閾値より小さければ第１の検出器を選択し、閾値以上になると第２の検出器を選択して、加算器４６で加算されてフォーカスエラー信号を求める。
【０１０２】
加算器４６の出力は、図５および図６に示すＳ字曲線となる。
【０１０３】
図１２は、本発明の実施の形態２に係わる検出器位置設定処理のフローチャートである。
【０１０４】
図１２において、検出器位置の設定処理が開始されると（Ｓ１２００）、光ディスク１１が装着されているかどうかを判定し（Ｓ１２０１）、光ディスク１１がなければ光ディスク１１が装着されるまで監視する。
【０１０５】
光ディスク１１が装着されると、フォーカスコイルに一定速度で駆動電圧をかけて、対物レンズ３１を光ディスク１１に近づけた後、遠ざけるようにしてフォーカスコイルを駆動し（Ｓ１２０２）、近づけるときのフォーカスＳ字曲線と、光ディスクに近づけた位置から遠ざけるときのフォーカスＳ字曲線を求める（Ｓ１２０３）。
【０１０６】
両方のフォーカスＳ字曲線のゼロクロス点の時間的間隔を算出し（Ｓ１２０４）、メインメモリ１８に算出値を格納する（Ｓ１２０５）。
【０１０７】
光ディスク１１の所定の位置を検出したかどうかを判別し（Ｓ１２０６）、所定の位置を検出していなければ、光ディスク１１を僅かに回転するなどして位置を移動し（Ｓ１２０７）、（Ｓ１２０２）に戻って処理を続ける。
【０１０８】
所定の位置を検出したら、検出し、フォーカスＳ字曲線のゼロクロス点の間隔の最大値（ＭＡＸ）と最小値（ＭＩＮ）の差分を算出し（Ｓ１２０８）、算出した結果が閾値より小さいかどうか判別し（Ｓ１２０９）、小さくなかったら第２検出器に切替え（Ｓ１２１１）フォーカスＳ字曲線のゼロクロス点の間隔の最大値（ＭＡＸ）と最小値（ＭＩＮ）の差分が閾値より小さくなったら、第１検出器の検出位置として（Ｓ１２１０）、フォーカスサーボ開始し（Ｓ１２１２）、検出器位置の設定処理を終了する（Ｓ１２１３）。
【０１０９】
なお、本発明の実施の形態２では、２組の検出器の構成でのべたが、複数組の検出器を設けて、光ディスクの記録面の粗さに応じて所望により変える構成としても良い。
【０１１０】
また、本発明の実施の形態１および実施の形態２では、ミラーを使用してフォーカスエラーを測定したモデルで説明したが、ホログラムを用いて検出位置を変える構成としてもよい。ホログラムを用いることで、コンパクトに構成することができる。
【産業上の利用可能性】
【０１１１】
本発明にかかる光ディスク装置及びそのフォーカス制御方法は、光ディスクのレーベル面に情報記録するときのフォーカスを最適に制御することが可能になるので、同一に光ピックアップにて記録面だけでなくレーベルにも記録する光ディスク装置及びそのレーザ光受光方法として有用である。
【図面の簡単な説明】
【０１１２】
【図１】本発明の実施の形態１における光ディスク装置の斜視図
【図２】本発明の実施の形態１における光ディスク装置の外観図
【図３】本発明の実施の形態１に係わる光ディスク装置のブロック図
【図４】本発明の実施の形態１に係わる光ディスクとレーザ光の関係を示した図
【図５】本発明の実施の形態１に係わる記録面に対するフォーカスエラーを説明する図
【図６】本発明の実施の形態１に係わるレーベル面に対するフォーカスエラーを説明する図
【図７】本発明の実施の形態１に係わるフォーカスエラー検出の構成の一例を示す図
【図８】本発明の実施の形態１に係わる検出器位置設定処理のフローチャート
【図９】本発明の実施の形態１に係わる検出器位置設定処理のフローチャート
【図１０】本発明の実施の形１態に係わる別の検出器位置設定処理のフローチャート
【図１１】本発明の実施の形態２に係わるフォーカスエラー検出の構成の一例を示す図
【図１２】本発明の実施の形態２に係わる検出器位置設定処理のフローチャート
【符号の説明】
【０１１３】
１    光ディスク装置
２    筐体
３    トレイ
４    光ピックアップモジュール
４ａ    スピンドルモータ
４ｂ    光ディスク装着部
５    光ピックアップ
９    回路基板
１０    ＦＰＣ
１１    光ディスク
１５    サーボモジュール
１６    信号制御部
１７    ＣＰＵ
１８    メインメモリ
１９    バッファメモリ
２０    インターフェース
２１    ディスク粗さ検出処理手段
２２    フォーカス制御手段
３１    対物レンズ
３２    光ビーム
４２    フォーカス位置
４３    検出器
４４    検出器
４５    移動手段
４６    加算器
５１    エンボス領域
１１１    パーソナルコンピュータ
１１２    ケーブル
【図１】
2008117501.tif 000003
【図２】
2008117501.tif 000004
【図３】
2008117501.tif 000005
【図４】
2008117501.tif 000006
【図５】
2008117501.tif 000007
【図６】
2008117501.tif 000008
【図７】
2008117501.tif 000009
【図８】
2008117501.tif 000010
【図９】
2008117501.tif 000011
【図１０】
2008117501.tif 000012
【図１１】
2008117501.tif 000013
【図１２】
2008117501.tif 000014